(57)【特許請求の範囲】
【請求項１】
色毎に分けられ網点化された画像データに応じた印刷版を作製する製版方法であって、
一方の色に抜きの網点を形成して、前記抜きの位置に他方の色の網点を刷り重ねる抜き合わせ方式に基づいて前記印刷版を作製し、
前記一方の色の網点面積率と前記他方の色の網点面積率との合算値が１００％未満である画素には、前記他方の色の網点の周囲に前記一方の色の抜きの網点との隙間を形成し、
前記合算値が１００％を超える画素には、前記他方の色の網点を前記一方の色の抜きの網点の周囲に食い込ませる食い込みを形成する
ことを特徴とする、製版方法。
【請求項２】
前記印刷版は、樹脂凸版であり、
前記食い込みを形成する画素における前記合算値の範囲は、１００％を超え、１２５％以下である
ことを特徴とする、請求項１に記載の製版方法。
【請求項３】
前記印刷版は、水無し平版であり、
前記食い込みを形成する画素における前記合算値の範囲は、１００％を超え、１５０％以下である
ことを特徴とする、請求項１に記載の製版方法。
【請求項４】
前記一方の色の網点化された前記画像データは、
原稿画像データの色分解により抽出された前記一方の色の分版画像データを作成し、
作成された前記分版画像データにおいて前記一方の色の濃淡を反転させた反転画像データを作成し、
作成された前記反転画像データにおいて前記一方の色の濃度が低い画素ほど前記一方の色の前記網点面積率を高くするネガ条件で網点化することにより作成され、
前記他方の色の網点化された前記画像データは、前記原稿画像データの色分解により抽出された前記他方の色の分版画像データを網点化することにより作成される
ことを特徴とする、請求項１〜３の何れか１項に記載の製版方法。
【請求項５】
前記印刷版の被印刷物は、２ピース缶又は金属板である
ことを特徴とする、請求項１〜４の何れか１項に記載の製版方法。
【請求項６】
色毎に分けられ網点化された画像データに応じた印刷版を作製する製版システムであって、
一方の色に抜きの網点を形成して、前記抜きの位置に他方の色の網点を刷り重ねる抜き合わせ方式に基づいて前記印刷版を作製し、
前記一方の色の網点面積率と前記他方の色の網点面積率との合算値が１００％未満である画素には、前記他方の色の網点の周囲に前記一方の色の抜きの網点との隙間を形成し、
前記合算値が１００％を超える画素には、前記他方の色の網点を前記一方の色の抜きの網点の周囲に食い込ませる食い込みを形成する
ことを特徴とする、製版システム。
【請求項７】
色毎に分けられ網点化された画像が印刷された缶体であって、
一方の色に抜きの網点を形成して、前記抜きの位置に他方の色の網点を刷り重ねる抜き合わせ方式に基づいて前記画像が形成され、
前記画像において、
前記一方の色の網点面積率と前記他方の色の網点面積率との合算値が１００％未満である画素には、前記他方の色の網点の周囲に前記一方の色の抜きの網点との隙間が形成され、
前記合算値が１００％を超える画素には、前記他方の色の網点を前記一方の色の抜きの網点の周囲に食い込ませる食い込みが形成される
ことを特徴とする、缶体。
【発明の詳細な説明】
【技術分野】
【０００１】
本発明は、製版方法、製版システム及び缶体に関する。
【背景技術】
【０００２】
多色印刷を行う印刷機に取り付けられる印刷版は、原稿画像を色毎に分けて網点化した画像データに応じて作製される（例えば、特許文献１）。
【０００３】
特許文献１には、原稿画像を色毎に分けて網点化した画像データに対し、インキの滲みや印刷機の機械的ズレによりインキの混濁が発生しないよう画像収縮処理を行い、該収縮処理を行った画像データに基づいて色毎の印刷版を作製する、製版方法が記載されている。
【先行技術文献】
【特許文献】
【０００４】
【特許文献１】特公平７−５７５４３号公報
【発明の概要】
【発明が解決しようとする課題】
【０００５】
特許文献１に記載の技術では、網点化した画像データに対して画像収縮処理を行うため、下地の色が露出し易く、再現可能な色の領域である色域が制限され易いため、色再現性が低くなり易い。逆に、特許文献１に記載の技術では、色再現性を高く保つために画像収縮処理を行わないと、インキの混濁が発生し易くなる。また、特許文献１に記載の技術では、画像収縮処理を行わないと、印刷機の機械的ズレを調整し得るような高精度の見当合わせが必要となり得る。
【０００６】
本発明は、上述の事情に鑑みてなされたものであり、上述のような問題点を解決することを課題の一例とする。すなわち、本発明の課題の一例は、インキの混濁を抑制しつつ、見当合わせが容易であり、且つ、色再現性が高い印刷版を作製することである。また、本発明の課題の一例は、インキの混濁を抑制しつつ、見当合わせが容易であり、且つ、色再現性が高い手法で印刷された缶体を提供することである。
【課題を解決するための手段】
【０００７】
本発明に係る製版方法は、色毎に分けられ網点化された画像データに応じた印刷版を作製する製版方法であって、一方の色に抜きの網点を形成して、前記抜きの位置に他方の色の網点を刷り重ねる抜き合わせ方式に基づいて前記印刷版を作製し、前記一方の色の網点面積率と前記他方の色の網点面積率との合算値が１００％未満である画素には、前記他方の色の網点の周囲に前記一方の色の抜きの網点との隙間を形成し、前記合算値が１００％を超える画素には、前記他方の色の網点を前記一方の色の抜きの網点の周囲に食い込ませる食い込みを形成することを特徴とする。
【０００８】
好適には、前記製版方法において、前記印刷版は、樹脂凸版であり、前記食い込みを形成する画素における前記合算値の範囲は、１００％を超え、１２５％以下であることを特徴とする。
【０００９】
好適には、前記製版方法において、前記印刷版は、水無し平版であり、前記食い込みを形成する画素における前記合算値の範囲は、１００％を超え、１５０％以下であることを特徴とする。
【００１０】
好適には、前記製版方法において、前記一方の色の網点化された前記画像データは、前記原稿画像データの色分解により抽出された前記一方の色の分版画像データを作成し、作成された前記分版画像データにおいて前記一方の色の濃淡を反転させた反転画像データを作成し、作成された前記反転画像データにおいて前記一方の色の濃度が低い画素ほど前記一方の色の前記網点面積率を高くするネガ条件で網点化することにより作成され、前記他方の色の網点化された前記画像データは、原稿画像データの色分解により抽出された前記他方の色の分版画像データを網点化することにより作成されることを特徴とする。
【００１１】
好適には、前記製版方法において、前記印刷版の被印刷物は、２ピース缶又は金属板であることを特徴とする。
【００１２】
本発明に係る製版システムは、色毎に分けられ網点化された画像データに応じた印刷版を作製する製版システムであって、一方の色に抜きの網点を形成して、前記抜きの位置に他方の色の網点を刷り重ねる抜き合わせ方式に基づいて前記印刷版を作製し、前記一方の色の網点面積率と前記他方の色の網点面積率との合算値が１００％未満である画素には、前記他方の色の網点の周囲に前記一方の色の抜きの網点との隙間を形成し、前記合算値が１００％を超える画素には、前記他方の色の網点を前記一方の色の抜きの網点の周囲に食い込ませる食い込みを形成することを特徴とする。
【００１３】
本発明に係る缶体は、色毎に分けられ網点化された画像が印刷された缶体であって、一方の色に抜きの網点を形成して、前記抜きの位置に他方の色の網点を刷り重ねる抜き合わせ方式に基づいて前記画像が形成され、前記画像において、前記一方の色の網点面積率と前記他方の色の網点面積率との合算値が１００％未満である画素には、前記他方の色の網点の周囲に前記一方の色の抜きの網点との隙間が形成され、前記合算値が１００％を超える画素には、前記他方の色の網点を前記一方の色の抜きの網点の周囲に食い込ませる食い込みが形成されることを特徴とする。
【発明の効果】
【００１４】
本発明によれば、インキの混濁を抑制しつつ、見当合わせが容易であり、且つ、色再現性が高い印刷版を作製することができる。また、本発明によれば、インキの混濁を抑制しつつ、見当合わせが容易であり、且つ、色再現性が高い手法で印刷された缶体を提供することができる。
【図面の簡単な説明】
【００１５】
【図１】本実施形態に係る製版システムの構成を示す図である。
【図２】抜き合わせ方式及び掛け合わせ方式を説明するための図である。
【図３】抜き合わせ方式の対象となる一方の色及び他方の色において形成される隙間及び食い込みを説明するための図である。
【図４】一方の色の網点面積率と他方の色の網点面積率との合算値と、隙間の寸法又は食い込みの寸法との関係を示す図である。
【図５】図１に示された製版システムを用いて印刷版を作製する製版方法の流れを示す図である。
【図６】図５に示された製版方法の流れを説明するための図である。
【発明を実施するための形態】
【００１６】
以下、本発明の実施形態について、図面を参照しながら説明する。以下に説明される実施形態は、本発明のいくつかの例を示すものであって、本発明の内容を限定するものではない。また、実施形態で説明される構成及び動作の全てが本発明の構成及び動作として必須であるとは限らない。
【００１７】
［製版システムの構成］
図１は、本実施形態に係る製版システム１の構成を示す図である。図２は、抜き合わせ方式及び掛け合わせ方式を説明するための図である。
【００１８】
製版システム１は、版式の印刷機に取り付けられる印刷版を作製するシステムである。製版システム１は、ＤＴＰ（Desktop Publishing）及びＣＴＰ（Computer To Plate）を採用したシステムである。製版システム１は、多色印刷用の印刷版を作製するシステムである。
【００１９】
製版システム１で作製される印刷版の被印刷物は、２ピース缶等の略円筒形状を有する缶体、又は、平板の金属板である。また、製版システム１は、中間転写体を介してインキを転写するオフセット印刷機、又は、中間転写体を使用しない非オフセット印刷機に取り付けられる印刷版を作製するシステムである。
【００２０】
図１には、２ピース缶等の略円筒形状を有する缶体を被印刷物とし、缶体の外周面に対して、中間転写体を介してインキを転写するオフセット印刷機３０に取り付けられる印刷版を作製する製版システム１が例示されている。図１に示された製版システム１で作製される印刷版は、インキが乗る画線部が感光性樹脂層等にて形成された樹脂凸版であると好適である。図１に示された製版システム１は、レーザの熱で樹脂を昇華させ、彫刻しながら印刷版を作製するＤＬＥ（Direct Laser Engraving）方式、又は、レーザで樹脂版表面に画像を書き込み現像するＬＡＭＳ（Laser Ablation Masking System）方式で、印刷版を作製するシステムであると好適である。また、図１に示された製版システム１で作製される印刷版は、インキが乗らない非画線部がシリコーン樹脂層等にて形成され、湿し水を使用しない水無し平版であってもよい。
【００２１】
製版システム１は、原稿画像データに各種画像処理を施して製版用の画像データを作成するデータ処理装置１０と、製版用の画像データに応じて印刷版を作製する版作製装置２０とを備える。
【００２２】
データ処理装置１０は、ページ記述言語で表された原稿画像データに対し、レイアウト及び色調の補正等の編集を行う。そして、データ処理装置１０は、プロセス色及び特色の色分解等を行う分版処理、並びに、各色の濃淡を網点の集合で表す網点化処理を行って、製版用の画像データを作成し、版作製装置２０へ送信する。データ処理装置１０は、プロセッサ及び記憶装置を含むと共に、データ処理装置１０の機能を実装したプログラムを含んで構成される。
【００２３】
データ処理装置１０は、分版処理を行う分版処理部１１と、網点化処理の条件を設定する網点化条件設定部１２と、網点化処理を行う網点化処理部１３と、版作製装置２０へのデータの送信処理を行う送信処理部１４とを備える。
【００２４】
分版処理部１１は、編集された原稿画像データを、プロセス色及び特色毎に色分解し、各色同士の重なり部分で無彩色を再現する部分にはＵＣＲ（under color removal）を施す。プロセス色は、例えば、シアン、マゼンタ、イエロー及びブラックの４色や、更にレッド、グリーン及びブルーを加えた７色であってよい。分版処理部１１は、原稿画像データの色分解により抽出された色毎の画像データである分版画像データを作成する。
【００２５】
網点化条件設定部１２は、分版処理部１１にて作成された分版画像データを網点化する際の条件である網点化条件を設定する。網点化条件は、各色の分版画像データ毎に設定される。網点化条件には、色毎の網点形状、網点面積率、スクリーン線数及びスクリーン角度の他、抜き合わせ方式に関する条件が含まれる。
【００２６】
製版システム１は、色分解により抽出された各色のインキを刷り重ねることによって、色分解により抽出された色以外の色を表現し得る印刷版を作製する。この際、製版システム１は、色分解により抽出された各色を抜き合わせ方式で刷り重ねることが可能な印刷版を作製することができる。抜き合わせ方式は、刷り重ねる２つの色のうち、被印刷物の下地に近い側の一方の色に抜きの網点を形成し、この抜きの網点が形成された位置に、一方の色よりも被印刷物の下地から遠い側の他方の色の網点を刷り重ねる手法である。抜きの網点が形成される色は、被印刷物の下地から遠い側の色としてもよい。
【００２７】
抜き合わせ方式で刷り重ねる２つの色は、シアン、マゼンタ、イエロー及びブラックの４色をプロセス色とする場合には、シアン、マゼンタ及びイエローのうちから選択された２色であると好適である。或いは、抜き合わせ方式で刷り重ねる２つの色は、シアン、マゼンタ、イエロー、レッド、グリーン、ブルー及びブラックの７色をプロセス色とする場合には、シアン、マゼンタ及びイエローのうちから選択された１色と、レッド、グリーン及びブルーのうちから選択された１色との２色であると好適である。
【００２８】
図２（ａ）の例では、マゼンタＭを一方の色とし、シアンＣを他方の色として、マゼンタＭとシアンＣとを抜き合わせ方式により刷り重ねている。図２（ａ）では、一方の色であるマゼンタＭにおいて、他方の色であるシアンＣが乗る箇所には、抜きの網点が形成されている。言い換えると、他方の色のシアンＣの網点は、一方の色のマゼンタＭの抜きの網点が形成された部分に位置するように設定される。抜き合わせ方式では、他方の色のインキが一方の色のインキと極力接触せずに刷り重ねられる。
【００２９】
これに対して、従来の製版システムでは、図２（ｂ）に例示されるように、色分解により抽出された色以外の色を表現する際、色分解により抽出された各色を掛け合わせ方式で刷り重ねる印刷版を作製することが多い。掛け合わせ方式は、刷り重ねる２つの色の何れにも抜きの網点を形成せずに刷り重ねる手法である。掛け合わせ方式では、刷り重ねる２つの色のうちの一方の色の網点に、他方の色の網点の少なくとも一部が乗るため、一方の色のインキと他方の色のインキとが接触して刷り重ねられる。
【００３０】
網点化条件設定部１２は、網点化条件の１つである抜き合わせ方式に関する条件として、抜き合わせ方式の対象となる２つの色である一方の色及び他方の色のそれぞれの分版画像データを指定する。そして、網点化条件設定部１２は、指定された分版画像データの画素毎に、一方の色及び他方の色の網点面積率を設定する。抜き合わせ方式の対象となる一方の色及び他方の色のそれぞれの網点面積率の詳細な設定内容については、図３及び図４を用いて後述する。
【００３１】
網点化処理部１３は、網点化条件設定部１２にて設定された網点化条件に応じて、分版処理部１１にて作成された分版画像データを網点化する。網点化された画像データは、例えば、１ｂｉｔＴＩＦＦ（Tagged Image File Format）等の２値データである。この網点化された画像データは、版作製装置２０が印刷版を作製する際に製版用の画像データとして使用される。網点化処理部１３は、ソフトウェアＲＩＰ（Raster Image Processor）等により構成されてよい。
【００３２】
網点化処理部１３は、抜き合わせ方式の対象となる２つの色である一方の色及び他方の色のそれぞれの分版画像データを網点化する際、一方の色と他方の色とは異なる条件で網点化する。具体的には、網点化処理部１３は、一方の色の分版画像データを網点化する際、一方の色の分版画像データにおいて、一方の色の濃淡を反転させた反転画像データを一旦作成し、作成された反転画像データをネガ条件で網点化する。ネガ条件は、色の濃度が低い画素ほど網点面積率を高くする条件である。これに対し、網点化処理部１３は、他方の色の分版画像データを網点化する際、他方の色の分版画像データをそのままポジ条件で網点化する。ポジ条件は、色の濃度が高い画素ほど網点面積率を高くする条件である。
【００３３】
送信処理部１４は、網点化処理部１３にて網点化された画像データを、製版用の画像データとして版作製装置２０へ送信する処理を行う。
【００３４】
版作製装置２０は、データ処理装置１０の送信処理部１４から送信された画像データ、すなわち、色毎に網点化された画像データに応じて、色毎の印刷版を作製する。版作製装置２０は、上述のＤＬＥ方式又はＬＡＭＳ方式で印刷版を作製する装置であると好適である。版作製装置２０は、色毎に網点化された画像データに基づいて、樹脂版にレーザ彫刻又は露光を行い、画線部及び非画線部を形成することによって、印刷版を作製することができる。
【００３５】
［抜き合わせ方式に関する網点化条件］
図３は、抜き合わせ方式の対象となる一方の色及び他方の色において形成される隙間Ａ及び食い込みＢを説明するための図である。一方の色はマゼンタＭで、抜きの網点が形成されている。他方の色はシアンＣで、マゼンタＭの抜きの網点の位置にシアンＣの網点が形成されている。図４は、一方の色の網点面積率と他方の色の網点面積率との合算値と、隙間Ａの寸法ａ又は食い込みＢの寸法ｂとの関係を示す図である。
【００３６】
網点化条件設定部１２は、抜き合わせ方式の対象となる一方の色及び他方の色のそれぞれの網点面積率を設定する際、一方の色の網点面積率と他方の色の網点面積率との合算値に基づいて設定する。具体的には、網点化条件設定部１２は、一方の色の網点面積率と他方の色の網点面積率との合算値が１００％未満である画素には、他方の色の網点の周囲に一方の色の抜きの網点との隙間Ａが形成されるよう設定する。更に、網点化条件設定部１２は、一方の色の網点面積率と他方の色の網点面積率との合算値が１００％を超える画素には、他方の色の網点を一方の色の抜きの網点の周囲に食い込ませる食い込みＢが形成されるよう設定する。食い込みＢは、他方の色の網点の中心位置が、一方の色の抜きの網点が形成された部分の中心位置と略一致し、且つ、他方の色の網点のサイズが、一方の色の抜きの網点が形成された部分のサイズよりも大きく形成されることである。食い込みＢにおいて、一方の色と他方の色のインキの重なりの上下関係はどちらでもよい。また、本実施形態では２色による抜き合わせとしているが、３色以上の抜き合わせにおいて隙間Ａ及び食い込みＢを形成してもよい。また、網点の形状は円に限定されず、多角形やその他の形状でもよい。なお、網点面積率は、単位面積あたりに占める網点の面積の割合であり、色の濃淡の度合いを示す。
【００３７】
図３（ａ）の例は、一方の色のマゼンタＭの網点面積率と、他方の色のシアンＣの網点面積率と合算値が、１００％未満の場合を示している。この場合、他方の色のシアンＣの網点の周囲には、寸法ａで一方の色のマゼンタＭとの隙間Ａが形成されている。隙間Ａは、網点の周囲の全周に亘って形成されるのが好適である。これにより、各色の見当がずれても、インキが接触し難くなり混濁を抑制することができる。隙間Ａの寸法ａは、一方の色のマゼンタＭの抜きが形成された部分の半径から、他方の色のシアンＣの網点の半径を差し引いた差分値であってよい。
【００３８】
図３（ｂ）の例は、一方の色のマゼンタＭの網点面積率と、他方の色のシアンＣの網点面積率と合算値が、１００％を超えた場合を示している。この場合、他方の色のシアンＣの網点を一方の色のマゼンタＭの網点の周囲に寸法ｂで食い込ませる食い込みＢが形成されている。食い込みＢは、網点の周囲の全周に亘って形成されるのが好適である。これにより、各色の見当がずれても、下地が露出し難くなる。食い込みＢの寸法ｂは、他方の色のシアンＣの網点の半径から、一方の色のマゼンタＭの抜きが形成された部分の半径を差し引いた差分値であってよい。
【００３９】
網点化条件設定部１２は、一方の色の網点面積率と他方の色の網点面積率との合算値を適宜設定することによって、隙間Ａの寸法ａ、又は、食い込みＢの寸法ｂを制御することができ、一方の色及び他方の色を刷り重ねて表現する色の濃淡を制御することができる。
【００４０】
図４には、縦軸に記載された一方の色の網点面積率と、横軸に記載された他方の色の網点面積率とが交差する部分に、それらの合算値において形成される隙間Ａの寸法ａ又は食い込みＢの寸法ｂが記載されている。図４において、白地に黒文字で記載された数字は、隙間Ａの寸法ａを示し、濃い灰色地に白文字で記載された数字は、食い込みＢの寸法ｂを示している。また、図４において、薄い灰色地に黒文字で記載された数字「０」は、隙間Ａ及び食い込みＢが形成されない状態、すなわち、一方の色と他方の色とが毛抜き合わせの状態で刷り重ねられることを示している。また、図４において、白地に黒文字で記載された「ノセ」は、一方の色又は他方の色の何れかがベタ塗りであることを示している。
【００４１】
図４には、スクリーン線数が１００ｌｐｉ（line per inch）である場合の、一方の色の網点面積率と他方の色の網点面積率との合算値と、隙間Ａの寸法ａ又は食い込みＢの寸法ｂとの関係が示されている。この場合、一方の色の網点面積率が「９０％」であり、他方の色の網点面積率が「４０％」である際には、寸法ｂが「０．０５ｍｍ」の食い込みＢが形成されることが分かる。一方の色の網点面積率が「９０％」であり、他方の色の網点面積率が「４０％」である際、これらの合算値は「１３０％」である。また、食い込みＢの寸法ｂが大きくなると、一方の色と他方の色との接触面積が増大し、インキが混濁し易くなり得るため、食い込みＢの寸法ｂが所定の値を超えない範囲で、一方の色と他方の色との食い込みＢが形成されるよう、一方の色の網点面積率と他方の色の網点面積率との合算値が設定されると好適である。インキの混濁し易さは印刷版の種類によって異なるため、この合算値は、印刷版の種類に応じて設定される。
【００４２】
網点化条件設定部１２は、食い込みＢを形成する画素において、一方の色の網点面積率と他方の色の網点面積率との合算値を、印刷版が樹脂凸版の場合には１００％を超え１２５％以下の範囲内の値、印刷版が水無し平版の場合には１００％を超え１５０％以下の範囲内の値に設定する。それにより、網点化条件設定部１２は、食い込みＢを形成する画素においてインキの混濁を抑制しつつ、一方の色及び他方の色を刷り重ねることができるよう、抜き合わせ方式に関する条件を設定することができる。
【００４３】
［製版システムを用いた製版方法］
図５は、図１に示された製版システム１を用いて印刷版を作製する製版方法の流れを示す図である。図６は、図５に示された製版方法の流れを説明するための図である。
【００４４】
図５に示されたステップＳ５０１〜ステップＳ５０６は、データ処理装置１０に備えられたユーザインターフェースを介して入力されたユーザからの操作指令に基づき、データ処理装置１０によって実行されてもよい。図５に示されたステップＳ５０７は、版作製装置２０によって実行されてよい。
【００４５】
ステップＳ５０１において、製版システム１は、データ処理装置１０にて原稿画像データを入稿する。
【００４６】
図６（ａ）には、マゼンタＭとシアンＣとで表現された色を含む原稿画像データ１００を、製版システム１が入稿した例が示されている。図６（ａ）に示された原稿画像データ１００は、紙面右側の領域において、マゼンタＭのグラデーションとシアンＣのグラデーションとが混じったような色が表現され、紙面左側の領域において、シアンＣのベタ塗りに「Ｆ」の白抜き文字が配置された画像を示す。
【００４７】
ステップＳ５０２において、製版システム１は、入稿した原稿画像データの編集を行う。製版システム１は、被印刷物の印刷領域に合わせてレイアウトを修正したり、色調の補正を行ったりして、原稿画像データを編集する。
【００４８】
ステップＳ５０３において、製版システム１は、編集された原稿画像データに対して分版処理を行う。製版システム１は、編集された原稿画像データを、プロセス色及び特色毎に色分解し、色毎の分版画像データを作成する。
【００４９】
図６（ｂ）には、製版システム１が、図６（ａ）に示された原稿画像データをマゼンタＭとシアンＣとに色分解し、マゼンタＭの分版画像データ１１１と、シアンＣの分版画像データ１１２とを作成した例が示されている。マゼンタＭの分版画像データ１１１は、紙面右側の領域において、紙面上側から紙面下側に向けてマゼンタＭの濃度が徐々に高くなり、紙面左側の領域において、マゼンタＭの濃度がゼロであるような画像を示す。シアンＣの分版画像データ１１２は、紙面右側の領域において、紙面上側から紙面下側に向けてシアンＣの濃度が一旦徐々に高くなった後に徐々に低くなり、紙面左側の領域において、シアンＣのベタ塗りに「Ｆ」の白抜き文字が配置されたような画像を示す。
【００５０】
ステップＳ５０４において、製版システム１は、分版処理にて作成された分版画像データを網点化する際の網点化条件を設定する網点化条件設定処理を行う。特に、製版システム１は、抜き合わせ方式の対象となる一方の色及び他方の色のそれぞれの分版画像データを指定し、指定された分版画像データの画素毎に、一方の色及び他方の色の網点面積率を設定する。この際、製版システム１は、一方の色の網点面積率と他方の色の網点面積率との合算値に基づいて隙間Ａ及び食い込みＢが適切に形成されるよう、一方の色の網点面積率と他方の色の網点面積率とを設定する。
【００５１】
図６（ｂ）の例では、製版システム１は、抜き合わせ方式の対象となる一方の色の分版画像データをマゼンタＭの分版画像データ１１１と指定し、他方の色の分版画像データをシアンＣの分版画像データ１１２と指定する。そして、製版システム１は、図３及び図４を用いて説明したように、隙間Ａ及び食い込みＢが適切に形成されるよう、分版画像データ１１１のマゼンタＭの網点面積率と、分版画像データ１１２のシアンＣの網点面積率とを設定する。
【００５２】
ステップＳ５０５において、製版システム１は、網点化設定処理にて設定された網点化条件に応じて、分版処理にて作成された分版画像データを網点化する。特に、製版システム１は、一方の色の分版画像データを網点化する際、一方の色の分版画像データにおいて、一方の色の濃淡を反転させた反転画像データを作成し、作成された反転画像データをネガ条件で網点化する。一方、製版システム１は、他方の色の分版画像データを網点化する際、他方の色の分版画像データをそのままポジ条件で網点化する。
【００５３】
図６（ｃ）には、製版システム１が、図６（ｂ）に示された一方の色であるマゼンタＭの分版画像データ１１１に対してマゼンタＭの濃淡を反転させて、反転画像データ１２１を作成した例が示されている。反転画像データ１２１は、紙面右側の領域において、紙面上側から紙面下側に向けてマゼンタＭの濃度が徐々に低くなり、紙面左側の領域において、マゼンタＭのベタ塗りが配置されたような画像を示す。なお、図６（ｃ）の分版画像データ１１２は、図６（ｂ）に示されたシアンＣの分版画像データ１１２のままである。
【００５４】
図６（ｄ）には、製版システム１が、図６（ｃ）に示された一方の色であるマゼンタＭの反転画像データ１２１をネガ条件で網点化し、網点化されたマゼンタＭの画像データ１３１を作成した例が示されている。網点化されたマゼンタＭの画像データ１３１は、図６（ｃ）に示された反転画像データ１２１におけるマゼンタＭの濃淡が反転された状態で網点化されている。網点化されたマゼンタＭの画像データ１３１は、図６（ｂ）に示された分版画像データ１１１におけるマゼンタＭの濃淡に応じて、マゼンタＭに抜きの網点Ｈ１を形成したような画像を示す。抜きの網点Ｈ１は、白色の網点でマゼンタＭを抜いたような形態を示す。
【００５５】
更に、図６（ｄ）には、製版システム１が、図６（ｃ）に示された他方の色であるシアンＣの分版画像データ１１２をポジ条件で網点化し、網点化されたシアンＣの画像データ１３２を作成した例が示されている。網点化されたシアンＣの画像データ１３２は、図６（ｂ）に示された分版画像データ１１２におけるシアンＣの濃淡に応じてシアンＣの網点Ｈ２を形成したような画像を示す。
【００５６】
ステップＳ５０６において、製版システム１は、網点化処理にて網点化された画像データを、製版用の画像データとして、データ処理装置１０から版作製装置２０へ送信する送信処理を行う。図６（ｄ）の例では、製版システム１は、網点化されたマゼンタＭの画像データ１３１と、網点化されたシアンＣの画像データ１３２とを、データ処理装置１０から版作製装置２０へ送信する。
【００５７】
ステップＳ５０７において、製版システム１は、送信処理にて送信された画像データに応じて、版作製装置２０にて色毎の印刷版を作製する。図６（ｄ）の例では、製版システム１では、網点化された画像データ１３１に応じて版作製装置２０を作動され、マゼンタＭの印刷版を作製する。そして、製版システム１は、網点化された画像データ１３２に応じて版作製装置２０を作動させ、シアンＣの印刷版を作製する。図５に示された製版方法は、本ステップにて終了する。
【００５８】
図６（ｅ）には、図６（ｄ）に示された画像データ１３１及び１３２に応じて作製されたマゼンタＭ及びシアンＣの印刷版を用いて被印刷物に印刷される印刷画像１４０の例が示されている。印刷画像１４０は、マゼンタＭに形成された抜きの網点Ｈ１の中心位置と、シアンＣの網点Ｈ２の中心位置とが略一致し、マゼンタＭとシアンＣとが抜き合わせ方式で刷り重ねられている。
【００５９】
［作用効果］
以上のように、本実施形態に係る製版システム１は、抜き合わせ方式に基づいて印刷版を作製するシステムである。そして、本実施形態に係る製版システム１は、抜き合わせ方式の対象となる一方の色の網点面積率と他方の色の網点面積率との合算値が１００％未満である画素には、他方の色の網点の周囲に一方の色の抜きの網点との隙間Ａを形成し、合算値が１００％を超える画素には、他方の色の網点を一方の色の抜きの網点の周囲に食い込ませる食い込みＢを形成する。
【００６０】
このため、本実施形態に係る製版システム１は、一方の色の網点面積率と他方の色の網点面積率との合算値を適宜設定するだけで、隙間Ａの寸法ａ、又は、食い込みＢの寸法ｂを制御することができる。具体的には、本実施形態に係る製版システム１は、網点面積率の合算値が１００％未満の場合には隙間Ａが形成され、網点面積率の合算値が１００％を超える場合は食い込みＢが形成される。それにより、本実施形態に係る製版システム１は、従来の抜き合わせ方式の印刷版を作製する場合と比べて、見当ずれに対する許容値が大きくなり、見当合わせが容易な印刷版を作製することができる。加えて、本実施形態に係る製版システム１は、抜き合わせ方式によりインキ同士の接触が抑制されるため、インキの混濁を抑制することが可能な印刷版を作製することができると共に、下地の色が隠蔽され易いため、再現可能な色域が広く、平網でも高い濃度感が得られる印刷版を作製することができる。それにより、本実施形態に係る製版システム１では、掛け合わせ方式の印刷版を作製する場合と比べて、高い色再現性を有する印刷版を作製することができる。よって、本実施形態に係る製版システム１は、比較的簡単な手法によって、インキの混濁を抑制しつつ、見当合わせが容易であり、且つ、色再現性が高い印刷版を作製することができる。
【００６１】
加えて、本実施形態に係る製版システム１は、再現可能な色域が広く、平網でも高い濃度感が得られる印刷版を作製することができるため、過剰なインキの盛り及び過剰な版圧が不要であると共に、インキの使用量も低減可能な印刷版を作製することができる。
【００６２】
加えて、本実施形態に係る製版システム１では、掛け合わせ方式の印刷版を作製する場合と比べて、インキのトラッピングについて問題とならないため、刷り重ねの順序に応じてインキのタック値を厳密に管理する必要がない。それにより、本実施形態に係る製版システム１は、インキ特性による制約を比較的受けずに印刷版を作製することができるため、高い自由度で印刷版を作製することができる。
【００６３】
更に、本実施形態に係る製版システム１では、印刷版が樹脂凸版である場合、食い込みＢを形成する画素における上述の合算値は１００％を超え１２５％以下の範囲内の値に設定され、印刷版が水無し平版である場合、食い込みＢを形成する画素における上述の合算値は１００％を超え１５０％以下の範囲内の値に設定される。それにより、本実施形態に係る製版システム１は、食い込みＢを形成する画素においてインキの混濁を更に抑制しつつ、見当合わせが容易であり、且つ、色再現性が高い印刷版を作製することができる。
【００６４】
更に、本実施形態に係る製版システム１では、一方の色の網点化された画像データが、原稿画像データの色分解により抽出された一方の色の分版画像データにおいて一方の色の濃淡を反転させた反転画像データをネガ条件で網点化することにより作成される。これに対し、本実施形態に係る製版システム１では、他方の色の網点化された画像データが、原稿画像データの色分解により抽出された他方の色の分版画像データを網点化することにより作成される。このため、本実施形態に係る製版システム１では、比較的簡単な手法により、一方の色に抜きを形成して他方の色と刷り重ねることが可能な印刷版を作製することができる。それにより、本実施形態に係る製版システム１は、インキの混濁を抑制しつつ、見当合わせが容易であり、且つ、色再現性が高い印刷版を、更に簡単に作製することができる。
【００６５】
更に、本実施形態に係る製版システム１では、２ピース缶又は金属板を被印刷物とする印刷版を作製する。２ピース缶又は金属板の被印刷面は、インキの浸透性が無い面であるため、従来の印刷版では、インキの混濁を抑制しつつ、見当合わせを容易にすることが、紙等の被印刷物の場合よりも大きな課題となる。本実施形態に係る製版システム１は、被印刷物が２ピース缶又は金属板であっても、抜き合わせ方式に基づいて印刷版を作製し、隙間Ａの寸法ａ、又は、食い込みＢの寸法ｂを制御可能である。よって、本実施形態に係る製版システム１は、被印刷物が２ピース缶又は金属板であっても、インキの混濁を抑制しつつ、見当合わせが容易であり、且つ、色再現性が高い印刷版を作製することができる。
【００６６】
更に、本実施形態に係る製版システム１を用いて印刷された缶体は、抜き合わせ方式により下地の色が隠蔽され易いため、再現可能な色域が広く、平網でも高い濃度感が得られる手法で印刷される。それにより、本実施形態に係る製版システム１を用いて印刷された缶体は、掛け合わせ方式で印刷された缶体と比べて、比較的簡単な手法によって、色再現性が高い缶体となり得る。
【００６７】
［他の実施形態］
上述の実施形態において、製版システム１は、２ピース缶等の缶体又は金属板を被印刷物とする印刷版を作製するシステムであった。製版システム１は、これに限定されず、ビン又はボトル等の非金属材の立体物を被印刷物とする印刷版を作製するシステムであってもよい。また、製版システム１は、紙、ラベル、フィルム又はシート等の平面形状物を被印刷物とする印刷版を作製するシステムであってもよい。
【００６８】
［その他］
上述の実施形態は、変形例を含めて各実施形態同士で互いの技術を適用することができる。上述の実施形態は、本発明の内容を限定するものではなく、特許請求の範囲を逸脱しない程度に変更を加えることができる。
【００６９】
上述の実施形態及び特許請求の範囲で使用される用語は、限定的でない用語として解釈されるべきである。例えば、「含む」という用語は、「含むものとして記載されたものに限定されない」と解釈されるべきである。「含有する」という用語は、「含有するものとして記載されたものに限定されない」と解釈されるべきである。「備える」という用語は、「備えるものとして記載されたものに限定されない」と解釈されるべきである。「有する」という用語は、「有するものとして記載されたものに限定されない」と解釈されるべきである。
【符号の説明】
【００７０】
１    製版システム
１０    データ処理装置
１１    分版処理部
１２    網点化条件設定部
１３    網点化処理部
１４    送信処理部
２０    版作製装置
３０    オフセット印刷機
１００    原稿画像データ
１１１    分版画像データ
１１２    分版画像データ
１２１    反転画像データ
１３１    網点化された製版用の画像データ
１３２    網点化された製版用の画像データ
１４０    印刷画像
Ａ    隙間
ａ    隙間の寸法
Ｂ    食い込み
ｂ    食い込みの寸法
Ｃ    シアン
Ｍ    マゼンタ
Ｈ１  抜きの網点
Ｈ２  網点
【図１】
0006891939.tif 000002
【図２】
0006891939.tif 000003
【図３】
0006891939.tif 000004
【図４】
0006891939.tif 000005
【図５】
0006891939.tif 000006
【図６】
0006891939.tif 000007